(57)【要約】【課題】本発明の課題は、材料を検査する装置を提供することである。【解決手段】センサ装置（０３）と照明装置（０４）を有する、材料（０５）を検査する装置において検査すべき材料は透明な材料から形成された透明な回転ドラム（０１）上で案内され、照明装置（０４）はドラム（０１）の一方の側に、そしてセンサ装置（０３）がドラム（０１）の他方の側に配置されており、材料は検査すべき印刷画像を有している、ドラム（０１）は、検査すべきシート形状の材料（０５）のための保持装置（０２）を有しており、該保持装置（０２）が連続的に材料（０５）を受け入れそれをドラム（０１）の上に搬送する。【選択図】図１
2010044771.tif 000002
【特許請求の範囲】
【請求項１】
センサ装置（０３）と照明装置（０４）を有する、材料（０５）を検査する装置であって、検査すべき材料（０５）は透明なドラム（０１）上で案内され、照明装置（０４）はドラム（０１）の一方の側に、そしてセンサ装置（０３）がドラム（０１）の他方の側に配置されており、材料は検査すべき印刷画像を有している、前記材料を検査する装置において、
照明装置（０４）が、ドラム（０１）の円周の内部に配置されており、付属のセンサ装置（０３）がドラム（０１）の円周の外部に配置されていることを特徴とする材料を検査する装置。
【請求項２】
センサ装置（０３）と照明装置（０４）を有する、材料（０５）を検査する装置であって、検査すべき材料（０５）は透明なドラム（０１）上で案内され、照明装置（０４）はドラム（０１）の一方の側に、そしてセンサ装置（０３）はドラム（０１）の他方の側に配置されており、材料は検査すべき印刷画像を有している、前記材料を検査する装置において、
照明装置（０４）と付属のセンサ装置（０３）が固定位置に配置されていることを特徴とする材料を検査する装置。
【請求項３】
材料（０４）が、ほぼその全面で、透明なドラム（０１）上に添接することを特徴とする請求項１または２に記載の装置。
【請求項４】
ドラム（０１）が、回転するドラム（０１）として形成されていることを特徴とする請求項１または２に記載の装置。
【請求項５】
ドラム（０１）が、印刷機内に配置されていることを特徴とする請求項１または２に記載の装置。
【請求項６】
センサ装置（０３）が、ＣＣＤカメラ（０３）として形成されていることを特徴とする請求項１または２に記載の装置。
【請求項７】
ドラム（０１）は、検査すべきシート形状の材料（０５）のための保持装置（０２）を有していることを特徴とする請求項１または２に記載の方法。
【請求項８】
センサ装置（０３）は、材料（０５）上に印刷された有価証券を検査することを特徴とする請求項１または２に記載の装置。
【請求項９】
センサ装置（０３）は、材料（０５）が材料（０５）とセンサ装置（０３）との間の相対運動なしで検査できるように、形成されていることを特徴とする請求項１または２に記載の装置。
【請求項１０】
照明装置（０４）は、ドラム（０１）のほぼ全長にわたって延びていることを特徴とする請求項１または２に記載の装置。
【請求項１１】
センサ装置（０３）が冷却されることを特徴とする請求項１または２に記載の装置。
【請求項１２】
ドラム（０１）は、一方の端面が開放しており、他方の端面が閉鎖されて形成されていることを特徴とする請求項１または２に記載の装置。
【発明の詳細な説明】
【技術分野】
【０００１】
本発明は、請求項１の上位概念に記載の材料を検査する装置に関する。
【背景技術】
【０００２】
特許文献１および特許文献２からは、この種の装置が知られている。
【０００３】
特許文献２に記載されている装置においては、検査すべき材料は透明なドラム上に張り渡されて、ドラムを適当に回転させることによってセンサ装置を通過するように案内される。センサ装置は、ドラムの内部に配置されており、走行可能なキャリッジによってドラムの長手軸の方向へ移動することができる。ドラムの外部に、センサ装置に対向して照明装置が配置されており、その照明装置はセンサ装置の変位に対して同期して走行可能である。照明装置の駆動によって、材料上に印刷された印刷画像が照明され、ドラムの透明な特性に基づいてドラム内部に配置されているセンサ装置は、印刷画像に応じて変化する入力信号を得る。
【０００４】
特許文献１に記載されている装置においては、光を透過する中空ローラの内部に、光学的なセンサが配置されている。中空ローラの外部に、光センサに対向して複数の光源またはローラの全長にわたって延びる１つの光源が設けられている。中空ローラ上に張り渡された印刷物を照明することによって、印刷された色濃度に従って異なる輝度値を、光センサによって検出することができる。
【０００５】
特許文献３からは、シート形状の材料、特に有価証券を移送する装置が知られている。光源から放出された光がドラムの外部から印刷物を透かしながらドラムの内部に配置されているセンサ装置へ達することができるようにするために、不透明なドラムは然るべく配置された切欠きを有しているので、結果として全表面が検査可能ではない。
特許文献４は、Ｘ線画像原画を検査する装置を示しており、光源は透明なドラムの内部に配置されている。
【先行技術文献】
【特許文献】
【０００６】
【特許文献１】独国特許出願公開２９４４３２２Ａ１
【特許文献２】米国特許公開３０２８５０２Ａ
【特許文献３】国際公開０１８５５８５
【特許文献４】独国特許出願公開４３３１９６５Ａ１
【発明の概要】
【発明が解決しようとする課題】
【０００７】
本発明の課題は、材料を検査する装置を提供することである。
【課題を解決するための手段】
【０００８】
この課題は、本発明によれば、請求項１の特徴によって解決される。
【発明の効果】
【０００９】
本発明によって得ることのできる利点は特に、透明な材料から形成されたドラムの外部に配置されているセンサ装置が、格段に小さな温度負荷にしかさらされないことにある。というのは、ドラムの外部にセンサ装置を配置することに基づいて、センサ装置の十分な冷却が容易に可能となるからである。
【図面の簡単な説明】
【００１０】
【図１】装置の横断面図である。
【図２】図１に示す装置を縦断面で示している。
【図３】印刷機内の圧胴に配置された、図１に基づく装置を示している。
【発明を実施するための形態】
【００１１】
本発明の実施例を図面に示し、以下で詳細に説明する。
図１に示す装置は、大体において、保持装置０２、たとえば把持装置０２を備えた透明なドラム０１とセンサ装置０３、たとえばＣＣＤカメラ０３からなり、センサ装置はドラム０１の外部に、ドラム０１の内部に配置されている照明装置０４に対向して配置されている。
【００１２】
材料０５を検査するため、特に有価証券が印刷されたシート紙を検査するために、材料０５は把持装置０２に、ドラム０１の回転駆動によって移送して行くことができるように、固定される。材料０５はドラム０１に巻きつき、ほぼその全面が透明なドラム０１上に載置される。
【００１３】
照明装置０４をスイッチオンすることによって、透明なドラム０１とその上に添接している材料０５は光ビームによって透過され、その光ビームは次にセンサ装置０３の対物レンズ内へ入射する。それぞれ材料０５上の印刷画像に応じて、センサ装置０３によって検出される入力信号が変化するので、それに応じて適切な評価ユニットによって材料０５上の印刷画像は、センサ装置０３の出力信号を評価することにより検査することができる。
【００１４】
図２には、ドラム０１、センサ装置０３、照明装置０４および検査すべき材料０５を有する装置が、縦断面で示されている。図から明らかなように、ドラム０１は一方の端面において閉鎖され、他方の端面においては開放されて形成されているので、簡単な方法でドラム０１の十分な機械的安定性を保証することができ、さらに照明装置０４を簡単な方法でドラム０１内へ挿入して固定することができる。センサ装置０３がドラム０１の外部に配置されていることによって、図示の実施例においては並べて配置された２つのＣＣＤカメラ０９から形成されたセンサ装置０３を、簡単な方法で冷却することができる。
【００１５】
たとえば、ある種の蛍光管０４として形成することのできる、照明装置０４は、ドラム０１のほぼ全長にわたって延びているので、ドラム０１上に添接する材料０５をすべての領域において照明することができる。ＣＣＤカメラ０３の対物レンズは、それぞれドラム０１の長さの半分が検出されるように、形成されている。
【００１６】
図３は、ドラム０１とセンサ装置０３とを有する装置を、有価証券印刷機内の圧胴０６に配置した場合を概略的に示している。ドラム０１と圧胴０６に把持装置０２を適切に形成することによって、印刷機内で印刷された有価証券を連続的に圧胴０６からドラム０１上へ伝送して、そこでセンサ装置０３によって検査することができる。
【符号の説明】
【００１７】
０１    透明なドラム
０２    保持装置、把持装置
０３    センサ装置、ＣＣＤカメラ
０４    照明装置、蛍光管
０５    検査すべき、材料
０６    圧胴
【図１】
2010044771.tif 000003
【図２】
2010044771.tif 000004
【図３】
2010044771.tif 000005
【手続補正書】
【提出日】平成21年10月14日(2009.10.14)
【手続補正１】
【補正対象書類名】特許請求の範囲
【補正対象項目名】全文
【補正方法】変更
【補正の内容】
【特許請求の範囲】
【請求項１】
センサ装置（０３）と照明装置（０４）を有する、材料（０５）を検査する装置であって、検査すべき材料（０５）は、透明な材料から形成された透明なドラム（０１）上で案内され、照明装置（０４）はドラム（０１）の一方の側に、そしてセンサ装置（０３）がドラム（０１）の他方の側に配置されており、材料は検査すべき印刷画像を有している、前記材料を検査する装置において、
照明装置（０４）が、ドラム（０１）の円周の内部に配置されており、付属のセンサ装置（０３）がドラム（０１）の円周の外部に配置されていることを特徴とする材料を検査する装置。
【請求項２】
センサ装置（０３）と照明装置（０４）を有する、材料（０５）を検査する装置であって、検査すべき材料（０５）は透明なドラム（０１）上で案内され、照明装置（０４）はドラム（０１）の一方の側に、そしてセンサ装置（０３）はドラム（０１）の他方の側に配置されており、材料は検査すべき印刷画像を有している、前記材料を検査する装置において、
照明装置（０４）と付属のセンサ装置（０３）が固定位置に配置されていることを特徴とする材料を検査する装置。
【請求項３】
材料（０４）が、ほぼその全面で、透明なドラム（０１）上に添接することを特徴とする請求項１または２に記載の装置。
【請求項４】
ドラム（０１）が、回転するドラム（０１）として形成されていることを特徴とする請求項１または２に記載の装置。
【請求項５】
ドラム（０１）が、印刷機内に配置されていることを特徴とする請求項１または２に記載の装置。
【請求項６】
センサ装置（０３）が、ＣＣＤカメラ（０３）として形成されていることを特徴とする請求項１または２に記載の装置。
【請求項７】
ドラム（０１）は、検査すべきシート形状の材料（０５）のための保持装置（０２）を有していることを特徴とする請求項１または２に記載の装置。
【請求項８】
センサ装置（０３）は、材料（０５）上に印刷された有価証券を検査することを特徴とする請求項１または２に記載の装置。
【請求項９】
センサ装置（０３）は、材料（０５）が材料（０５）とセンサ装置（０３）との間の相対運動なしで検査できるように、形成されていることを特徴とする請求項１または２に記載の装置。
【請求項１０】
照明装置（０４）は、ドラム（０１）のほぼ全長にわたって延びていることを特徴とする請求項１または２に記載の装置。
【請求項１１】
センサ装置（０３）が冷却されることを特徴とする請求項１または２に記載の装置。
【請求項１２】
ドラム（０１）は、一方の端面が開放しており、他方の端面が閉鎖されて形成されていることを特徴とする請求項１または２に記載の装置。